(57)【要約】 【課題】  増幅装置に過剰に大きい信号が入力された場合であっても、その出力レベルがクリップすることを簡単な回路構成で回避する。【解決手段】  入力された信号を増幅してサブウーハーへ出力するパワーアンプの前段に、信号源から入力された信号を増幅して出力するアンプと、このアンプの出力を波形整形して上記パワーアンプへ出力する波形整形回路とを設け、上記アンプの最大出力電圧よりも低いツェナー電圧を有するツェナーダイオードを介して上記アンプの出力端子を接地させておく。【選択図】        図１
2005252833.tif 000002
【特許請求の範囲】
【請求項１】
第１の増幅回路と、
前記第１の増幅回路によって出力された信号を波形整形する波形整形回路と、
前記波形整形回路の出力信号を増幅して出力する第２の増幅回路とを有し、
前記第１の増幅回路の出力端子は、前記第１の増幅回路の最大出力電圧よりも低いツェナー電圧を有するツェナーダイオードを介して接地されている
ことを特徴とする増幅装置。
【発明の詳細な説明】
【技術分野】
【０００１】
低音域の信号を再生するサブウーハー駆動用の増幅装置に関する。
【背景技術】
【０００２】
オーディオ装置の中には、低音域を忠実に再現するために低音域専用のスピーカ（以下、サブウーハー）と、入力信号を増幅してサブウーハーへ出力する増幅装置とを備えたものがある。この種の増幅装置では、過剰に大きい入力信号が入力されると、出力信号の信号波形が上下に潰れてしまうこと（以下、クリップと呼ぶ）が発生してしまう場合がある。上記サブウーハーを駆動するため増幅装置で、このようなクリップが発生してしまうと、異常音となり、低音域を忠実に再現することができなくなってしまう。つまり、サブウーハーを駆動するための増幅装置では、過剰に大きい信号が入力されても、異常音を発しないことが望ましく、このようなことを実現する技術の一例としては、特許文献１に開示された技術が挙げられる。
【０００３】
特許文献１に開示された技術では、以下に述べるようにして上記増幅装置に過剰に大きい信号が入力された場合であっても、パワーアンプはクリップしないようにしている。すなわち、特許文献１に開示された増幅装置には、入力信号を増幅してサブウーハーへ出力するパワーアンプ（以下、増幅回路とも呼ぶ）の前段に、入力信号を増幅して出力するプリアンプと、このプリアンプから出力される信号を波形整形して上記パワーアンプへ出力する波形整形回路とが設けられており、更に、上記プリアンプに供給される駆動電圧の絶対値が上記パワーアンプに供給される駆動電圧の絶対値よりも小さくなるように制御する電源電圧供給回路が設けられている。係る増幅装置では、上記プリアンプは上記パワーアンプよりも小さい駆動電圧で駆動しているため、パワーアンプでクリップが発生してその出力レベルがクリップする以前にプリアンプでクリップが発生し、その出力レベルが制限される。これにより、パワーアンプへ過剰に大きな信号が入力されることが回避され、その出力レベルがクリップすることが回避される。
【０００４】
【特許文献１】特開平１０−３３５９６１号公報
【発明の開示】
【発明が解決しようとする課題】
【０００５】
しかしながら、特許文献１に開示された技術では、プリアンプに供給される駆動電圧の絶対値がパワーアンプに供給される駆動電圧の絶対値よりも小さくなるように制御するための電源電圧供給回路を別途設ける必要があり、増幅装置全体の回路構成が複雑になってしまうといった問題点がある。
本発明は、上記課題に鑑みて為されたものであり、増幅装置に過剰に大きい信号が入力された場合に、その出力レベルがクリップすることを簡単な回路構成で回避する技術を提供することを目的としている。
【課題を解決するための手段】
【０００６】
上記課題を解決するために、本発明は、第１の増幅回路と、前記第１の増幅回路によって出力された信号を波形整形する波形整形回路と、前記波形整形回路の出力信号を増幅して出力する第２の増幅回路とを有し、前記第１の増幅回路の出力端子は、前記第１の増幅回路の最大出力電圧よりも低いツェナー電圧を有するツェナーダイオードを介して接地されていることを特徴とする増幅装置を提供する。
このような増幅装置によれば、上記第１の増幅回路から過剰に大きな信号が出力されても、上記ツェナーダイオードによって波形整形回路へ入力される信号電圧が制限される。このため、上記第２の増幅回路でクリップが発生する寸前の信号電圧に略等しいツェナー電圧を有するツェナーダイオードを用いて上記増幅装置を構成するようにすれば、上記第２の増幅回路でクリップが発生しその出力レベルが頭打ちになることが回避される。
【発明の効果】
【０００７】
本発明によれば、パワーアンプの前段に位置するプリアンプの出力端子をそのプリアンプの最大出力電圧よりも低いツェナー電圧を有するツェナーダイオードを介して接地しておくといった簡単な回路構成で、上記パワーアンプに入力される信号レベルを制限しその出力レベルがクリップすることを回避することが可能になるといった効果を奏する。
【発明を実施するための最良の形態】
【０００８】
以下、本発明を実施するための最良の形態について図面を参照しつつ説明する。
［構成］
図１は、本発明の１実施形態に係る増幅装置の構成例を示す図である。図１に示されているように、この増幅装置は、リミッタ回路１０と、波形整形回路２０と、パワーアンプ３０とを有している。リミッタ回路１０は、図示せぬ信号源から供給される信号を、予め定められた値以上の信号が入力された場合に、クリップして出力するものである。より詳細に説明すると、リミッタ回路１０は、図２に示されているように、入力信号を増幅して出力する第１の増幅回路として機能するアンプ１１０を含んでおり、このアンプ１１０の出力端子は、上記アンプ１１０の最大出力電圧よりも低いツェナー電圧を有するツェナーダイオード１２０を介して接地されている。なお、本実施形態では、リミッタ回路１０をアンプとそのアンプの出力端子に接続されたツェナーダイオードとで構成する場合について説明するが、バッファアンプやハイパスフィルタなどで構成しても良いことは勿論である。要は、予め定められた値以上の入力信号が入力された場合にクリップして出力する回路であれば何れであっても良い。また、ツェナーダイオードにかわるものとしてダイオードなどの動作電圧（ＶＦ）を利用してもよい。
【０００９】
図１の波形整形回路２０は、例えばローパスフィルタであり、リミッタ回路１０から引渡された信号の高調波成分をカットして波形整形し出力するものである。この波形整形回路２０においては、上記高調波成分のカットが急峻であるほど、リミッタ回路１０から引渡された信号が滑らかに波形整形されて出力される。そして、図１のパワーアンプ３０は、波形整形回路２０から引渡された信号を増幅して図示せぬサブウーハーへ出力する第２の増幅回路として機能するものである。
【００１０】
図１に示す増幅装置は、例えば、図３（ａ）に示す信号がリミッタ回路１０へ入力された場合に、その信号電圧が上記ツェナー電圧以上であると、リミッタ回路１０においてクリップが発生し、図３（ｂ）に示すような信号が波形整形回路２０へ出力される。波形整形回路２０は、この信号を波形整形し図３（ｃ）に示すような信号をパワーアンプ３０へ出力する。そして、パワーアンプ３０は入力された信号を増幅して図３（ｄ）に示すような信号をサブウーハー（図示省略）へ出力する。つまり、図１に示す増幅装置では、ツェナーダイオード１２０の特性に応じて、パワーアンプ３０へ入力される入力信号の最大値が定まることになる。例えば、パワーアンプ３０でクリップが発生する寸前の値がパワーアンプ３０の最大入力になるようなツェナー電圧を有するツェナーダイオード１２０を用いてリミッタ回路１０が構成するようにすれば、パワーアンプ３０でクリップが発生しその出力レベルが頭打ちになることを確実に回避することができる。
以上説明したように、本実施形態に係る増幅装置によれば、リミッタ回路１０をアンプとツェナーダイオードで構成するといった簡単な回路構成で、過剰に大きい信号が入力された場合であっても、パワーアンプ３０の出力レベルがクリップすることを回避することが可能になるといった効果を奏する。
【図面の簡単な説明】
【００１１】
【図１】本発明の１実施形態に係る増幅装置の構成例を示すブロック図である。
【図２】同リミッタ回路１０の構成例を示す図である。
【図３】同増幅装置による増幅過程の概要を示す図である。
【符号の説明】
【００１２】
１０…リミッタ回路、２０…波形整形回路、３０…パワーアンプ、１１０…アンプ、１２０…ツェナーダイオード。
【図１】
2005252833.tif 000003
【図２】
2005252833.tif 000004
【図３】
2005252833.tif 000005